(57)【要約】  【課題】  ギア同士の噛み合い調整を行うことなく読取ローラの位置調整を容易に行うことのできる画像読取装置を提供する。  【解決手段】  搬送ガイドを有するガイドユニット９と、該ガイドユニット９に対して離接可能に配された搬送ユニット５と、該搬送ユニット５に用紙搬送方向に回動可能に設けられた密着型イメージセンサ３と、前記ガイドユニット９に回転自在に設けられ該密着型イメージセンサ３に対して圧接する読取ローラ１０と、該読取ローラ１０のローラ軸１３に取り付けられたローラギア１９と、モータ２０により回転駆動されるモータ軸２１に取り付けられ前記ローラギア１９と噛み合う駆動ギア２２とを備え、密着型イメージセンサ３を回動させることにより該密着型イメージセンサ３に連動してローラ軸１３上の一点１３ａを中心にして読取ローラ１０を回動させて位置調整を行う画像読取装置において、前記読取ローラ１０と前記モータをユニット化したことを特徴とする。【選択図】      図１
2007013234.tif 000002
【特許請求の範囲】
【請求項１】
搬送ガイドを有するガイドユニットと、該ガイドユニットに対して離接可能に配された搬送ユニットと、該搬送ユニットに用紙搬送方向に回動可能に設けられた密着型イメージセンサと、前記ガイドユニットに回転自在に設けられ該密着型イメージセンサに対して圧接する読取ローラと、該読取ローラのローラ軸に取り付けられたローラギアと、モータにより回転駆動されるモータ軸に取り付けられ前記ローラギアと噛み合う駆動ギアとを備え、密着型イメージセンサを回動させることにより該密着型イメージセンサに連動してローラ軸上の一点を中心にして読取ローラを回動させて位置調整を行う画像読取装置において、
前記読取ローラと前記モータをユニット化したことを特徴とする画像読取装置。
【請求項２】
モータが固定配置されるモータケーシング内にローラギアと駆動ギアを収容することを特徴とする請求項１に記載の画像読取装置。
【請求項３】
搬送ガイドを有するガイドユニットと、該ガイドユニットに対して離接可能に配された搬送ユニットと、該搬送ユニットに用紙搬送方向に移動可能に設けられた密着型イメージセンサと、前記ガイドユニットに回転自在に設けられ該密着型イメージセンサに対して圧接する読取ローラと、該読取ローラのローラ軸に取り付けられたローラギアと、モータにより回転駆動されるモータ軸に取り付けられた駆動ギアと、前記ローラギアと前記駆動ギアに噛み合い前記駆動ギアの回転を前記ローラギアに伝える伝達ギアとを備え、読取ローラを用紙搬送方向に平行に移動させることにより前記ローラ軸と前記モータ軸の軸間距離を可変させて位置調整を行う画像読取装置において、
ローラ軸と前記伝達ギアのギア軸の軸間距離を一定に維持する手段と、前記伝達ギアのギア軸とモータ軸の軸間距離を一定に維持する手段とを備えたことを特徴とする画像読取装置。
【請求項４】
ローラ軸と前記伝達ギアのギア軸の軸間距離を一定に維持する手段が、ローラ軸と伝達ギアのギア軸とを連結するアーム板であること特徴とする請求項３に記載の画像読取装置。
【請求項５】
前記伝達ギアのギア軸とモータ軸の軸間距離を一定に維持する手段が、前記アーム板と前記ガイドユニットの間に設けられた引っ張りバネであること特徴とする請求項４に記載の画像読取装置。
【請求項６】
前記伝達ギアのギア軸とモータ軸の軸間距離を一定に維持する手段が、伝達ギアのギア軸とモータ軸とを連結するアーム板であること特徴とする請求項４に記載の画像読取装置。
【発明の詳細な説明】
【技術分野】
【０００１】
本発明は、複写機、プリンター、又はファクシミリ装置等の画像形成装置に用いられ、読取ローラとこの読取ローラに対向する密着型イメージセンサとを備え、読取ローラと密着型イメージセンサとの間を通過する原稿上の画像を密着型イメージセンサで読み取って画像データを得る画像読取装置に関するものである。
【背景技術】
【０００２】
一般に、密着型イメージセンサ（以下単にイメージセンサと呼ぶ）を用いる画像読取装置では、読取ローラと密着型イメージセンサとの間を通過する原稿上の画像をイメージセンサで読み取って画像データを得ており、画像読取の際には、原稿の浮き等を抑えるため、読取ローラを読取基準位置に精度よく位置づける必要がある。
【０００３】
従来の読取ローラの位置調整例を説明する。図７は画像読取装置１の外観を示すカバー体を開いた状態の斜視図であり、図８はさらに搬送ユニットを回動させた状態の斜視図である。画像読取装置１は、画像形成装置（例えば、複写機）とともに用いられ、画像形成装置（図示せず）本体の上面側に配置される。
【０００４】
画像読取装置１は、搬送ガイド９ａ（図１０参照）や読取ローラ１０等を備えたガイドユニット９上に、密着型イメージセンサ３や搬送ローラ４等を一体に備えた搬送ユニット５を一端側の回動支点で装置筐体２に回動自在に設け、さらにこの搬送ユニット５の上方を覆う開閉式のカバー体６を回動自在に設けて、原稿トレイ７にセットされた原稿がカバー体６と搬送ユニット５の上面部との間にできる搬送経路を通り、搬送ユニット５の回動支点側で折り返して搬送ユニット５の下面部と装置筐体２との間にできる搬送経路へと搬送され、最終的に排紙トレイ上８へ排紙されるように、原稿搬送経路をＵ字型に構成したものである。
【０００５】
このような構成とすることで、原稿搬送経路において紙詰まりを起こした場合でも、カバー体６若しくはカバー体６及び搬送ユニット５を回動させることにより、紙詰まりを起こした箇所を露出させることができるので、詰まった原稿を搬送経路から容易に取り除くことができる。
【０００６】
図９に示すように、ガイドユニット９の前側側面に凸設した回動軸１１には、軸支持部材１２が回動可能に設けられている。軸支持部材１２の先端側には左右方向に長い長孔１２ａが設けられている。この長孔１２ａ内には、読取ローラ１０のローラ軸１３の前端部を軸支する可動軸受１４が挿入され、長孔１２ａ内で左右方向に可動軸受１４を移動させることができるようになっている。また、軸支持部材１２は、その基端部下縁に設けられたバネ掛け部１２ｂと、ガイドユニット９に設けられたバネ掛け部１５とに取付けられる引っ張りバネ１６により時計方向に付勢されている。
【０００７】
他方、ガイドユニット９の後側側面に凸設した回動軸１７には、軸支持部材１８が回動可能に設けられている。軸支持部材１８の先端側には丸穴１８ａが設けられている。この丸穴１８ａ内には、読取ローラ１０のローラ軸１３の後端側が遊嵌状態で挿通され、その先のローラ軸１３の後端部にローラギア１９が固定されている。また、軸支持部材１８は、上記の軸支持部材１２と同様の構成により時計方向に付勢されている。
【０００８】
そして、読取ローラ１０に対して用紙搬送方向において下流側には、モータ２０を固定配置している。ローラギア１９には、モータ２０により回転駆動されるモータ軸２１の先端に取付けられた駆動ギア２２が噛み合っている。よって、モータ２０により駆動ギア２２が回転駆動されることにより、ローラギア１９が回転し、読取ローラ１０を回転させることができる。
【０００９】
そして、読取ローラ１０の上方には、図示しない搬送ユニット５に取付けられる密着型イメージセンサ３が配置され、読取ローラ１０はこの密着型イメージセンサ３の下面に圧接している。密着型イメージセンサ３は、その前側及び後側側面に取付金具３１及び３２がそれぞれ取付けられ、これら取付金具３１及び３２を介して密着型イメージセンサ３は搬送ユニット５に対して取付けられる。具体的には、取付金具３２に設けられた支持点部３２ａにより搬送ユニット５の後側に遊嵌支持され、取付金具３１により搬送ユニット５の前側にネジ３３で取付けられる。また、密着型イメージセンサ３の前側下部には、可動軸受１４の左右位置を規制する位置規制部材３４が設けられており、図７のように、搬送ユニット５を閉じられ、読取ローラ１０が密着型イメージセンサ３に圧接する状態では、図１０に示すように、位置規制部材３４は中央の切り欠き部２６ａに可動軸受１４を挟み込んで、可動軸受１４が軸支持部材１２の長孔１２ａ内で左右に振れないようにしっかりと位置決めがなされる。
【００１０】
次に、密着型イメージセンサ３及び読取ローラ１０の位置調整法の一つめの例について図１０〜図１２を用いて説明する。
【００１１】
まず、図１０に示すネジ３３を取り外し、前側における図示しない搬送ユニット５と密着型イメージセンサ３の固定を解除する。このようにしても、密着型イメージセンサ３の後側は支持点部３２ａで図示しない搬送ユニット５に遊嵌されているので、密着型イメージセンサ３が搬送ユニット５から外れることはない。そして、位置規制部材３４とともに可動軸受１４を図１０の矢印Ｆのように左右に振り、適切な位置に調整する。最後に、再びネジ３３で密着型イメージセンサ３を図示しない搬送ユニット５に固定する。
【００１２】
このようにすることで、密着型イメージセンサ３の位置調整に連動して読取ローラ１０の位置調整を行うことができ、密着型イメージセンサの取り付け位置を調整する際、密着型イメージセンサと読取ローラとの相対的位置を容易に調整することができる（特許文献１参照）。
【００１３】
このとき、図１１に示すように、軸支持部材１８がローラ軸１３を後側で支持している部分を中心（以下、回動中心１３ａと称する。）として、読取ローラ１０の全体が回動することになる。回動中心１３ａはローラ軸１３の後端側に偏った位置にあるため、ローラ軸１３の前端部の振れ幅に比して後端部の振れ幅は小さいものの、図１２に示すように、ローラ軸１３の触れとともにローラギア１９も傾くので、ローラギア１９と位置が固定されている駆動ギア２２が歯底接触を起こし、読取ローラ１０の位置調整後に駆動伝達不良が生じたり、異音やギアの摩耗等の不具合が出たりするおそれがある。
【００１４】
また、他の例として、図１３に示すように、ローラ軸１３の後側端部の支持機構を前側端部と同様の構成とし、読取ローラ１０を用紙搬送方向に平行に移動して位置調整することができるようにしたものもある。すなわち、ガイドユニット９の後側側面に凸設した回動軸１７にも、長孔１２ａを有する軸支持部材１２が回動可能に設け、さらにこの長孔１２ａ内に読取ローラ１０のローラ軸１３の後側部を軸支する可動軸受１４が挿入し、前後の２つの軸支持部材１２の長孔１２ａ内で左右方向に各可動軸受１４を移動させるような構成としている。
【００１５】
このような読取ローラ１０の位置調整方法では、読取ローラ１０を左右に移動させるとローラギア１９も一緒に移動することになるので、ローラギア１９を交換せずそのままにして読取ローラ１０の位置調整をしても、位置が固定されている駆動ギア２２に対してローラギア１９が遠ざかったり近づいたりしてうまくいかない。すなわち、図１３のように可動軸受１４が長孔１２ａの中央にあるときにローラギア１９と駆動ギア２２の噛み合いが適切である場合において、読取ローラ１０が左に移動するときは、ギア同士の噛み合いが不十分となり、逆に読取ローラ１０が右に移動するときは、ギア同士が歯底接触することとなる。そこで、駆動ギア２２に対してローラギア１９が遠ざかったときは、ローラギア１９を長径のものに交換し、逆に、駆動ギア２２に対してローラギア１９が近づいたときは、ローラギア１９を短径のものに交換したりして対処していた。このため、読取ローラ１０の位置に応じて複数種類の径をもつローラギア１９が必要となり、部品コストや交換の手間の著しい増大を招くという問題があった。
【特許文献１】特開２００５−５１５６０号公報
【発明の開示】
【発明が解決しようとする課題】
【００１６】
本発明は、上述した従来技術における問題に鑑みてなされたものであり、ギア同士の噛み合い調整を行うことなく読取ローラの位置調整を容易に行うことのできる画像読取装置を提供することを目的とする。
【課題を解決するための手段】
【００１７】
そこで、本発明はかかる課題を解決するために、搬送ガイドを有するガイドユニットと、該ガイドユニットに対して離接可能に配された搬送ユニットと、該搬送ユニットに用紙搬送方向に回動可能に設けられた密着型イメージセンサと、前記ガイドユニットに回転自在に設けられ該密着型イメージセンサに対して圧接する読取ローラと、該読取ローラのローラ軸に取り付けられたローラギアと、モータにより回転駆動されるモータ軸に取り付けられ前記ローラギアと噛み合う駆動ギアとを備え、密着型イメージセンサを回動させることにより該密着型イメージセンサに連動してローラ軸上の一点を中心にして読取ローラを回動させて位置調整を行う画像読取装置において、前記読取ローラと前記モータをユニット化したことを特徴とする。
【００１８】
具体的には、モータが固定配置されるモータケーシング内にローラギアと駆動ギアを収容することを特徴とする。
【００１９】
この構成によると、読取ローラの回動に連動してモータケーシングが回動することにより、ローラギアと駆動ギアの相対位置を維持したまま、つまりローラ軸とモータ軸の平行度及び軸間距離を維持したまま、読取ローラの位置調整を行うことができる。
【００２０】
或いは、本発明は、搬送ガイドを有するガイドユニットと、該ガイドユニットに対して離接可能に配された搬送ユニットと、該搬送ユニットに用紙搬送方向に移動可能に設けられた密着型イメージセンサと、前記ガイドユニットに回転自在に設けられ該密着型イメージセンサに対して圧接する読取ローラと、該読取ローラのローラ軸に取り付けられたローラギアと、モータにより回転駆動されるモータ軸に取り付けられた駆動ギアと、前記ローラギアと前記駆動ギアに噛み合い前記駆動ギアの回転を前記ローラギアに伝える伝達ギアとを備え、読取ローラを用紙搬送方向に平行に移動させることにより前記ローラ軸と前記モータ軸の軸間距離を可変させて位置調整を行う画像読取装置において、ローラ軸と前記伝達ギアのギア軸の軸間距離を一定に維持する手段と、前記伝達ギアのギア軸とモータ軸の軸間距離を一定に維持する手段とを備えたことを特徴とする。
【００２１】
具体的には、ローラ軸と前記伝達ギアのギア軸の軸間距離を一定に維持する手段が、ローラ軸と伝達ギアのギア軸とを連結するアーム板であること特徴とする。また、前記伝達ギアのギア軸とモータ軸の軸間距離を一定に維持する手段が、前記アーム板と前記ガイドユニットの間に設けられた引っ張りバネや、伝達ギアのギア軸とモータ軸とを連結するアーム板であること特徴とする。
【００２２】
この構成によると、ローラギアと駆動ギアの高さ関係、つまりローラ軸とモータ軸の相対高さを維持し、かつ、ローラギアと伝達ギアの噛み合い及び伝達ギア及び駆動ギアの噛み合い、つまり、ローラ軸とギア軸の軸間距離及びギア軸とモータ軸の軸間距離を維持したまま、読取ローラの位置調整を行うことができる。
【発明の効果】
【００２３】
本発明によると、ローラ軸の触れ（回動）によりローラギアが傾いても、ローラギアと駆動ギアの噛み合いが適切に維持されているので、従来のように、ローラギアと位置が固定されている駆動ギアが歯底接触を起こすことがなく、読取ローラ位置調整後の駆動伝達不良、異音、ギアの摩耗等の不具合を防止することができる。
【００２４】
或いは、本発明によると、ローラ軸の移動とともにローラギアが用紙搬送方向に移動しても、ローラギアと伝達ギアの噛み合い及び伝達ギアと駆動ギアの噛み合いが適切に維持されているので、従来のように、読取ローラの位置に応じて複数種類の径をもつローラギアを用意する必要がなくなり、部品コストや交換の手間を大幅に削減することが可能となる。
【発明を実施するための最良の形態】
【００２５】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２６】
図１は、本発明の第１の実施形態に係る読取ローラの位置調整手段を示すガイドユニットの概略水平断面図である。この図において、図１１に示す従来の読取ローラの位置調整手段と同一部分には同一符号を付して詳細な説明を省略する。
【００２７】
本実施形態では、図１に示すように、モータ２０が固定配置されるモータケーシング２３内にローラギア１９と駆動ギア２２を収容し、さらにモータケーシング２３の前側側壁に挿通したローラ軸１３の後端を、モータケーシング２３の後側側壁に設けた軸受３０に軸支することにより、読取ローラ１０とモータ２０をユニット化している。
【００２８】
この構成によると、図２に示すように、読取ローラ１０の回動に連動してモータケーシング２３が回動することにより、ローラギア１９と駆動ギア２２の相対位置を維持したまま、つまりローラ軸１３とモータ軸２１の平行度及び軸間距離を維持したまま、読取ローラ１０の位置調整を行うことができる。
【００２９】
従って、ローラ軸１３の触れによりローラギア１９が傾いても、ローラギア１９と駆動ギア２２の噛み合いが適切に維持されているので、従来（図１２参照）のように、ローラギア１９と位置が固定されている駆動ギア２２が歯底接触を起こすことがなく、読取ローラ位置調整後の駆動伝達不良、異音、ギアの摩耗等の不具合を防止することができる。
【００３０】
また、図３は、本発明の第２の実施形態に係る読取ローラの位置調整手段を示すガイドユニットの概略水平断面図である。この図において、図１３に示す従来の読取ローラの位置調整手段と同一部分には同一符号を付して詳細な説明を省略する。
【００３１】
本実施形態では、図３に示すように、読取ローラ１０に対して用紙搬送方向においては下流側に離れた位置となり、かつ、高さ方向においては下方（図４参照）となるように、モータ２０を固定配置し、ローラギア１９と位置が固定されている駆動ギア２２とを直接噛み合わせるのではなく、両者の間に伝達ギア２４を噛み合わせることで間接的に噛み合わせるようにしている。そして、ローラギア１９のギア軸となるローラ軸１３と伝達ギア２４のギア軸２５との間の距離が常に一定となるようにこれらをアーム板２６で連結し、さらにこのアーム板２６とガイドユニット９との間に引っ張りバネ２７（図４参照）を取り付けている。
【００３２】
この構成によると、図４に示すように、読取ローラ１０の用紙搬送方向（左右方向）の移動に連動して引っ張りバネ２７により下方に付勢されたアーム板２６がローラ軸１３を中心として回動することにより、ローラギア１９と駆動ギア２２の高さ関係、つまりローラ軸１３とモータ軸２１の相対高さ（図４中の符号Ｈ参照）を維持し、かつ、ローラギア１９と伝達ギア２４の噛み合い及び伝達ギア２４及び駆動ギア２２の噛み合い、つまり、ローラ軸１３とギア軸２５の軸間距離及びギア軸２５とモータ軸２１の軸間距離を維持したまま、読取ローラ１０の位置調整を行うことができる。
【００３３】
従って、ローラ軸１３の移動とともにローラギア１９が用紙搬送方向に移動しても、ローラギア１９と伝達ギア２４の噛み合い及び伝達ギア２４と駆動ギア２２の噛み合いが適切に維持されているので、従来（図１３参照）のように、読取ローラ１０の位置に応じて複数種類の径をもつローラギア１９を用意する必要がなくなり、部品コストや交換の手間を大幅に削減することが可能となる。
【００３４】
また、図５は、本発明の第３の実施形態に係る読取ローラの位置調整手段を示すガイドユニットの概略水平断面図である。この図において、図１３に示す従来の読取ローラの位置調整手段と同一部分には同一符号を付して詳細な説明を省略する。
【００３５】
本実施形態では、図５に示すように、読取ローラ１０に対して用紙搬送方向においては下流側に離れた位置となり、かつ、高さ方向においては下方（図６参照）となるように、モータ２０を固定配置し、ローラギア１９と位置が固定されている駆動ギア２２とを直接噛み合わせるのではなく、両者の間に伝達ギア２４を噛み合わせることで間接的に噛み合わせるようにしている。そして、ローラギア１９のギア軸となるローラ軸１３と伝達ギア２４のギア軸２５との間の距離が常に一定となるようにこれらをアーム板２８で連結し、さらに伝達ギア２４のギア軸２５と駆動ギア２２のギア軸となるモータ軸２１との間の距離が常に一定となるようにこれらをアーム板２９で連結している。
【００３６】
この構成によると、図６に示すように、読取ローラ１０の用紙搬送方向（左右方向）の移動に連動してアーム板２８がローラ軸１３を中心として回動するとともに、アーム板２９がモータ軸２１を中心として回動することにより、ローラギア１９と駆動ギア２２の高さ関係、つまりローラ軸１３とモータ軸２１の相対高さ（図６中の符号Ｈ参照）を維持し、かつ、ローラギア１９と伝達ギア２４の噛み合い及び伝達ギア２４及び駆動ギア２２の噛み合い、つまり、ローラ軸１３とギア軸２５の軸間距離及びギア軸２５とモータ軸２１の軸間距離を維持したまま、読取ローラ１０の位置調整を行うことができる。
【００３７】
従って、ローラ軸１３の移動とともにローラギア１９が用紙搬送方向に移動しても、ローラギア１９と伝達ギア２４の噛み合い及び伝達ギア２４と駆動ギア２２の噛み合いが適切に維持されているので、従来（図１３参照）のように、読取ローラ１０の位置に応じて複数種類の径をもつローラギア１９を用意する必要がなくなり、部品コストや交換の手間を大幅に削減することが可能となる。
【産業上の利用可能性】
【００３８】
読取ローラと、読取ローラに対向する密着型イメージセンサとを備え、読取ローラと前記密着型イメージセンサとの間を通過する原稿上画像を密着型イメージセンサで読み取って画像データを得る画像読取装置において、密着型イメージセンサの位置調整に連動して読取ローラの位置調整が行われるから、原稿給送装置に内蔵される画像読取装置ばかりでなく、他の機器に内蔵される画像読取装置にも適用できる。
【図面の簡単な説明】
【００３９】
【図１】は、本発明の第１の実施形態に係る読取ローラの位置調整手段を示すガイドユニットの概略水平断面図である。
【図２】は、上記第１の実施形態に係る読取ローラの位置調整時のローラギア周辺を示す概略水平断面図であり、基準位置から読取ローラの前端側を搬送方向の左方向（ａ）及び右方向（ｂ）に振った状態を示している。
【図３】は、本発明の第２の実施形態に係る読取ローラの位置調整手段を示すガイドユニットの概略水平断面図である。
【図４】は、上記第２の実施形態に係る読取ローラの位置調整時のローラギア周辺を示す概略垂直断面図であり、基準位置（ａ）から読取ローラを搬送方向の左方向（ｂ）及び右方向（ｃ）に移動させた状態を示している。
【図５】は、本発明の第３の実施形態に係る読取ローラの位置調整手段を示す概略水平断面図である。
【図６】は、上記第３の実施形態に係る読取ローラの位置調整時のローラギア周辺を示す概略垂直断面図であり、基準位置（ａ）から読取ローラを搬送方向の左方向（ｂ）及び右方向（ｃ）に移動させた状態を示している。
【図７】は、画像読取装置の外観を示すカバー体を開いた状態の斜視図である。
【図８】は、図７のさらに搬送ユニットを回動させた状態の斜視図である。
【図９】は、密着型イメージセンサを読取ローラから離して示すガイドユニットの概略斜視図である。
【図１０】は、密着型イメージセンサに読取ローラが圧接した状態を示すガイドユニットの斜視図である。
【図１１】は、従来例に係る読取ローラの位置調整手段を示すガイドユニットの概略水平断面図である。
【図１２】は、上記従来例に係る読取ローラの位置調整時のローラギア周辺を示す概略水平断面図であり、基準位置から読取ローラの前端側を搬送方向の左方向（ａ）及び右方向（ｂ）に振った状態を示している。
【図１３】は、他の従来例に係る読取ローラの位置調整手段を示すガイドユニットの概略水平断面図である。
【符号の説明】
【００４０】
１  画像読取装置
２  装置筐体
３  密着型イメージセンサ
４  搬送ローラ
５  搬送ユニット
６  カバー体
７  原稿トレイ
８  排紙トレイ上
９  ガイドユニット
１０      読取ローラ
１２      軸支持部材
１３      ローラ軸
１３ａ    回動中心
１４      可動軸受
１６      引っ張りバネ
１８      軸支持部材
１９      ローラギア
２０      モータ
２１      モータ軸
２２      駆動ギア
２３      モータケーシング
２４      伝達ギア
２５      ギア軸
２６      アーム板
２７      引っ張りバネ
２８      アーム板
２９      アーム板
３０      軸受
【図１】
2007013234.tif 000003
【図２】
2007013234.tif 000004
【図３】
2007013234.tif 000005
【図４】
2007013234.tif 000006
【図５】
2007013234.tif 000007
【図６】
2007013234.tif 000008
【図７】
2007013234.tif 000009
【図８】
2007013234.tif 000010
【図９】
2007013234.tif 000011
【図１０】
2007013234.tif 000012
【図１１】
2007013234.tif 000013
【図１２】
2007013234.tif 000014
【図１３】
2007013234.tif 000015